(57)【要約】  【課題】  本発明は、容易に天井に取り付けることができ、取り付けた後も、天井面の見栄えを損なうことのない吊り下げ物品昇降器を提供する。  【解決手段】  吊り下げ物品昇降器を、ユニットふた１およびユニットケース２の間に、回動自在に設けられた回転ドラム５と、一端が回転ドラム５に固定され、これに巻回されて該回転ドラム５から引き出すことが可能なワイヤ４と、ワイヤ４を巻き取り収納する方向への付勢力を回転ドラム５に与えるゼンマイ１１と、を有し、ユニットふた１には、その先端にピン１５を保持するレバー１６が枢軸回動可能に軸着され、回転ドラム５のユニットふた１側の面には、ワイヤ４の引き出しによる回転ドラム５の回転角度位置を決める、ピン１５を誘導するピン誘導溝１０が設けられた、ものとした。上記ワイヤ４を所要の位置まで引き下ろし、その下端に物品をつる下げた状態で、固定保持することができる。【選択図】  図６
2005087298.tif 000002
【特許請求の範囲】
【請求項１】
ケーシング内に回動自在に設けられた回転ドラムと、
一端が上記回転ドラムに固定され、これに巻回されて該回転ドラムから引き出し、あるいは巻き取りされるワイヤと、
上記ワイヤを巻き取る方向の付勢力を上記回転ドラムに与えるゼンマイと、
上記ケーシングの一端に枢軸回動自在に設けられた、その先端にピンを有するレバーと、を有する吊り下げ物品昇降器であって、
上記回転ドラムの側面には、上記ワイヤの引き出しによる上記回転ドラムの回転角度位置を決める、上記ピンを誘導するピン誘導溝が設けられ、
上記ピン誘導溝は、
上記ワイヤを巻き取るとき、上記ピンを誘導する周回巻き取り溝と、
上記ワイヤを引き下ろすとき、上記ピンを誘導する周回引き下ろし溝と、
上記ワイヤを上端位置から引き下ろしたとき、上記ピンを上記周回巻き取り溝から上記周回引き下ろし溝に誘導する初期導入曲線溝と、
上記ワイヤの引き下ろしを止めたとき、上記ゼンマイの力により、上記周回引き下ろし溝より該溝終端のドラム回転停止位置まで上記ピンを誘導する第１調整溝と、
上記ドラム回転停止位置から上記ワイヤをさらに引き下ろしたとき、所要の重量を支持する重量支持点まで上記ピンを誘導する第２調整溝と、
上記重量支持点から上記周回巻き取り溝まで上記ピンを誘導する収納誘導溝とを備え、
引き下ろした上記ワイヤを、上記ピンが上記重量支持点に到ったときのワイヤ引き下ろし位置にて、その下端に物品を吊り下げた状態で固定可能である、
ことを特徴とする吊り下げ物品昇降器。
【請求項２】
請求項１に記載の吊り下げ物品昇降器において、
上記周回巻き取り溝と上記初期導入曲線溝とが接する部位と、上記初期導入曲線溝と上記周回引き下ろし溝とが接する部位と、上記周回引き下ろし溝と上記第１調整溝とが接する部位と、上記第１調整溝と上記第２調整溝とが接する部位と、上記第２調整溝と上記周回巻き取り溝とが接する部位と、のそれぞれに、上記ピンの一方向への移動を可能とし、他の方向への進行を妨げるピン進行規制部が形成されている、
ことを特徴とする吊り下げ物品昇降器。
【請求項３】
請求項１または請求項２に記載の吊り下げ物品昇降器において、
上記ケーシングは、天井に取り付け可能なものとした、
ことを特徴とする吊り下げ物品昇降器。
【請求項４】
請求項１ないし請求項３のいずれかに記載の吊り下げ物品昇降器において、
上記ワイヤの下端に、洗濯物を保持する洗濯物干し器を吊り下げた、
ことを特徴とする吊り下げ物品保持器。
【請求項５】
請求項１ないし請求項４のいずれかに記載の吊り下げ物品昇降器において、
上記ワイヤの下端に、物品を収容するための物入れを吊り下げた、
ことを特徴とする吊り下げ物品昇降器。
【発明の詳細な説明】
【技術分野】
【０００１】
本発明は、室内等において物品を吊り下げるための吊り下げ物品昇降器に関するものである。
【背景技術】
【０００２】
室内に物品を吊り下げ、これを昇降させるための吊り下げ物品昇降器としては、例えば、室内に洗濯物を干すための物干し装置がある。以下、その構成について、図１３（ａ）、図１３（ｂ）を参照しながら説明する。
【０００３】
従来の物干し装置は、その構成を図１３（ａ）の斜視図、および図１３（ｂ）の断面図に示したように、天井面４１を部分的に凹ませて設けた収納部４２に、一対の支持アーム４３の一端を支持部材４６により回動自在に軸着し、各支持アーム４３の他端間に物干しバー４４を架設したものである。
【０００４】
このように構成される従来の物干し装置は、使用しない時には、図１３（ｂ）のように、支持アーム４３および物干しバー４４が収納部４２に収められている。また物干しバー４４に洗濯物を掛ける時には、図１３（ａ）のように物干しバー４４を降ろした状態とし、洗濯物を順次掛けていく。
【特許文献１】特開平７−２０４３９４号公報
【発明の開示】
【発明が解決しようとする課題】
【０００５】
しかしながら、上記従来の物干し装置は、天井面４１を凹ませて収納部４２を設けているため、天井裏に収納部４２を設けるためのスペースが必要となってしまう。既設の住宅においては、天井裏に収納部４２を設けるスペースがないこともあり、このような場合、物干し装置を設置することができない。また、取り付けスペースがあったとしても、既設の住宅に取り付けるときには、天井面４１の改造等、大がかりな工事が必要となるため、設置に多大な時間や費用がかかってしまう。
【０００６】
さらに、天井面４１に配設される支持アーム４３や物干しバー４４が見えてしまうため、見栄えが悪いという問題もある。
【０００７】
本発明は、上記のような従来の問題点を解決するためになされたものであり、天井裏に取り付けスペースがなくとも、容易に取り付けることができ、取り付けた後も天井面の見栄えを損なうことのない吊り下げ物品昇降器を提供することを目的とする。
【課題を解決するための手段】
【０００８】
上記課題を解決するために、本発明の請求項１にかかる吊り下げ物品昇降器は、ケーシング内に回動自在に設けられた回転ドラムと、一端が上記回転ドラムに固定され、これに巻回されて該回転ドラムから引き出し、あるいは巻き取りされるワイヤと、上記ワイヤを巻き取る方向の付勢力を上記回転ドラムに与えるゼンマイと、上記ケーシングの一端に枢軸回動自在に設けられた、その先端にピンを有するレバーと、を有する吊り下げ物品昇降器であって、上記回転ドラムの側面には、上記ワイヤの引き出しによる上記回転ドラムの回転角度位置を決める、上記ピンを誘導するピン誘導溝が設けられ、上記ピン誘導溝は、上記ワイヤを巻き取るとき、上記ピンを誘導する周回巻き取り溝と、上記ワイヤを引き下ろすとき、上記ピンを誘導する周回引き下ろし溝と、上記ワイヤを上端位置から引き下ろしたとき、上記ピンを上記周回巻き取り溝から上記周回引き下ろし溝に誘導する初期導入曲線溝と、上記ワイヤの引き下ろしを止めたとき、上記ゼンマイの力により、上記周回引き下ろし溝より該溝終端のドラム回転停止位置まで上記ピンを誘導する第１調整溝と、上記ドラム回転停止位置から上記ワイヤをさらに引き下ろしたとき、所要の重量を支持する重量支持点まで上記ピンを誘導する第２調整溝と、上記重量支持点から上記周回巻き取り溝まで上記ピンを誘導する収納誘導溝とを備え、引き下ろした上記ワイヤを、上記ピンが上記重量支持点に到ったときのワイヤ引き下ろし位置にて、その下端に物品を吊り下げた状態で固定可能であるものである。
【０００９】
また、本発明の請求項２にかかる吊り下げ物品昇降器は、請求項１に記載の吊り下げ物品昇降器において、上記周回巻き取り溝と上記初期導入曲線溝とが接する部位と、上記初期導入曲線溝と上記周回引き下ろし溝とが接する部位と、上記周回引き下ろし溝と上記第１調整溝とが接する部位と、上記第１調整溝と上記第２調整溝とが接する部位と、上記第２調整溝と上記周回巻き取り溝とが接する部位と、のそれぞれに、上記ピンの一方向への移動を可能とし、他の方向への進行を妨げるピン進行規制部が形成されているものである。
【００１０】
また、本発明の請求項３にかかる吊り下げ物品昇降器は、請求項１または請求項２に記載の吊り下げ物品昇降器において、上記ケーシングを、天井に取り付け可能なものとしたものである。
【００１１】
また、本発明の請求項４にかかる吊り下げ物品昇降器は、請求項１ないし請求項３のいずれかに記載の吊り下げ物品昇降器において、上記ワイヤの下端に、洗濯物を保持する洗濯物干し器を吊り下げたものである。
【００１２】
また、本発明の請求項５にかかる吊り下げ物品昇降器は、請求項１ないし請求項４のいずれかに記載の吊り下げ物品昇降器において、上記ワイヤの下端に、物品を収容するための物入れを吊り下げたものである。
【発明の効果】
【００１３】
本発明の請求項１にかかる吊り下げ物品昇降器によれば、ケーシング内に回動自在に設けられた回転ドラムと、一端が上記回転ドラムに固定され、これに巻回されて該回転ドラムから引き出し、あるいは巻き取りされるワイヤと、上記ワイヤを巻き取る方向の付勢力を上記回転ドラムに与えるゼンマイと、上記ケーシングの一端に枢軸回動自在に設けられた、その先端にピンを有するレバーと、を有する吊り下げ物品昇降器であって、上記回転ドラムの側面には、上記ワイヤの引き出しによる上記回転ドラムの回転角度位置を決める、上記ピンを誘導するピン誘導溝が設けられ、上記ピン誘導溝は、上記ワイヤを巻き取るとき、上記ピンを誘導する周回巻き取り溝と、上記ワイヤを引き下ろすとき、上記ピンを誘導する周回引き下ろし溝と、上記ワイヤを上端位置から引き下ろしたとき、上記ピンを上記周回巻き取り溝から上記周回引き下ろし溝に誘導する初期導入曲線溝と、上記ワイヤの引き下ろしを止めたとき、上記ゼンマイの力により、上記周回引き下ろし溝より該溝終端のドラム回転停止位置まで上記ピンを誘導する第１調整溝と、上記ドラム回転停止位置から上記ワイヤをさらに引き下ろしたとき、所要の重量を支持する重量支持点まで上記ピンを誘導する第２調整溝と、上記重量支持点から上記周回巻き取り溝まで上記ピンを誘導する収納誘導溝とを備え、引き下ろした上記ワイヤを、上記ピンが上記重量支持点に到ったときのワイヤ引き下ろし位置にて、その下端に物品を吊り下げた状態で固定可能であるもの、としたので、1) ワイヤの引き下ろしの動作、2) 該引き下ろしを止めた後の、手を離すことによる、若干のワイヤの戻し上げ後の停止、の動作、3) その後の荷重をかけたときの停止、の動作、4) 該荷重印加状態から、荷重を解除した後のワイヤの収納、の動作を、動作が逆流することなく、連続して、安定に、行わせることができる。
【００１４】
本発明の請求項２にかかる吊り下げ物品昇降器によれば、請求項１に記載の吊り下げ物品昇降器において、上記周回巻き取り溝と上記初期導入曲線溝とが接する部位と、上記初期導入曲線溝と上記周回引き下ろし溝とが接する部位と、上記周回引き下ろし溝と上記第１調整溝とが接する部位と、上記第１調整溝と上記第２調整溝とが接する部位と、上記第２調整溝と上記周回巻き取り溝とが接する部位と、のそれぞれに、上記ピンの一方向への移動を可能とし、他の方向への進行を妨げるピン進行規制部が形成されているもの、としたので、各所要部位に、ピンの各所要導入方向への進行のみを加納とし、その他の方向への進行を妨げるピン進行規制部を設けたので、上記ワイヤを引き下ろすときの回転ドラムの回転や、ワイヤから手を離したときのゼンマイの付勢力による回転ドラムの回転時の、ピンの移動の規制を正確、適切に行うことでき、本吊り下げ物品昇降器の動作を、正確、確実なものとすることができる。
【００１５】
本発明の請求項３にかかる吊り下げ物品昇降器によれば、請求項１または請求項２に記載の吊り下げ物品昇降器において、上記ケーシングを、天井に取り付け可能なものとしたので、天井の改造をすることなく、容易に上記吊り下げ物品昇降器を取り付けることができる。
【００１６】
本発明の請求項４にかかる吊り下げ物品昇降器によれば、請求項１ないし請求項３のいずれかに記載の吊り下げ物品昇降器において、上記ワイヤの下端に、洗濯物を保持する洗濯物干し器を吊り下げるようにしたので、室内にて、所定間隔の所望の高さ位置にて、洗濯物干しをすることができる。
【００１７】
本発明の請求項５にかかる吊り下げ物品昇降器によれば、請求項１ないし請求項４のいずれかに記載の吊り下げ物品昇降器において、上記ワイヤの下端に、物品を収容するための物入れを吊り下げるようにしたので、該物入れの高さ位置を調節することにより、所望の高さ位置に物品保持トレイを設けることができることとなる。
【発明を実施するための最良の形態】
【００１８】
（実施の形態１）
以下、本発明の実施の形態１による吊り下げ物品昇降器について、図面を参照しながら説明する。
【００１９】
本実施の形態１による吊り下げ物品昇降器の構成を、図１（正面図）、図２（背面図）、図３（断面図）に、洗濯物干し器昇降機の要部の構成を図４（斜視図）、図５（断面図）に、それぞれ示す。
【００２０】
本実施の形態１による吊り下げ物品昇降器は、ユニットふた１と、該ユニットふた１に取り付けたユニットケース２との間に、回動自在に設けられた回転ドラム５と、一端が回転ドラム５に固定され、これに巻回されて該回転ドラム５から引き出し、あるいは巻き取りされるワイヤ４と、ワイヤ４を巻き取り収納する方向への付勢力を回転ドラム５に与えるゼンマイ１１と、を有するものである。
【００２１】
ユニットふた１は、その周囲に穴２１が設けられており、この穴２１は、吊り下げ物品昇降器を天井にネジ留めするときにネジ穴として用いられる。なお、図１には、ユニットふた１が円形に形成されている例を示したが、本実施の形態は、ユニットふた１の形状を限定するものではなく、これは任意の形状であって良い。
【００２２】
ユニットふた１には、周囲に穴２２〜２４が、ユニットケース２には、ユニットふた１に取り付けられた時の穴２２〜２４に対応する位置に穴２５〜２７が、それぞれ設けられ、対応する穴同士をネジ留めすることにより、ユニットふた１とユニットケース２とを接合している。接合されたユニットふた１とユニットケース２との間に架設された主軸３が、回転ドラム５の中心に貫通された穴に通され、しかして、回転ドラム５は水平方向に回動自在とされている。
【００２３】
ユニットケース２には、図２，図４に示したように、ワイヤ４の下端に設けられる吊り下げ物品保持輪６を鉛直方向に引き下げ可能とするためのワイヤ吊り下げピン７と、ワイヤ４の下端部および吊り下げ物品保持輪６を、吊り下げ物品昇降器の下方に出すための穴８と、が設けられている。
【００２４】
回転ドラム５のさらに詳細な構成を、図６（正面図）、図７（背面図）、図８（断面図）に示す。回転ドラム５は、表面および裏面の直径より胴部の直径が小さく、断面が糸巻型を呈するよう形成され、胴部に設けられた穴９に、ワイヤ４の一端が固定されている。回転ドラム５の内部に設けられた空間（以下筐体と称す）には、ゼンマイ１１が配設されており、このゼンマイ１１は、その一端が、主軸３に設けられた割れ目に、他端が、筐体の壁と突出部とを利用して形成された凹部１２に、それぞれ差し込まれ、これにより、上記ワイヤ４を巻き取る方向に付勢されている。また、上記回転ドラム５の筐体は、穴１４を用いて回転ドラム５にネジ留めされたゼンマイふた１３により覆われており、このゼンマイふた１３によってゼンマイ１１を保持している。なお、図７においては、ゼンマイふた１３に覆われている部分を、点線で示してある。
【００２５】
しかして回転ドラム５は、ワイヤ４を引き下ろすと、これに伴って回転し、巻回されていたワイヤ４を解放する。ワイヤ４を引き下ろすのを止めると、回転ドラム５は、ゼンマイ１１の付勢力によって、ワイヤ４を引き下ろした時とは逆方向に回転し、ワイヤ４を巻き取って収納する。
【００２６】
ユニットふた１には、図５にその断面を示したように、その先端にピン１５を保持するレバー１６が、レバー軸１７により枢軸回動可能に軸着され、回転ドラム５の表面（ユニットふた１側の面）には、ワイヤ４の引き出しによる回転ドラム５の回転角度位置を決める、ピン１５を誘導するピン誘導溝１０が設けられている。ピン１５は、ピン誘導溝１０に係合するよう配設されており、回転ドラム５に巻回されたワイヤ４が引き出される時や収納される時の、回転ドラム５の回転に伴ってピン誘導溝１０内を移動し、回転ドラム５の回動を規制することにより、回転ドラム５の回転角度位置を決める。
【００２７】
ピン誘導溝１０は、図６に示したように、同心円状の２つの円を、曲線と、２カ所折り返された折れ線と、で接続するよう形成されている。すなわち、ピン誘導溝１０は、外側に円形に形成された溝であり、主にワイヤ４を巻き取って収納するとき、ピン１５を誘導する周回巻き取り溝１０ａと、内側に円形に形成された溝であり、主にワイヤ４を引き下ろすとき、ピン１５を誘導する周回引き下ろし溝１０ｃと、円形に形成された２つの溝を接続する曲線の溝であり、ワイヤ４を上端位置から引き下ろしたとき、ピン１５を周回巻き取り溝１０ａから周回引き下ろし溝１０ｃに誘導する初期導入曲線溝１０ｂと、円形に形成された２つの溝を接続する折れ線の溝の一部であり、ワイヤ４の引き下ろしを止めたとき、ゼンマイ１１の付勢力により、周回引き下ろし溝１０ｃより溝が折り返されているドラム回転停止位置１０ｅまでピン１５を誘導する第１調整溝１０ｄと、上記折れ線に形成された溝の一部であり、ドラム回転停止位置１０ｅからワイヤ４をさらに引き下ろしたとき、所要の重量を支持するよう溝が折り返されている重量支持点１０ｇまでピン１５を誘導する第２調整溝１０ｆと、上記折れ線に形成された溝の一部であり、重量支持点１０ｇから第１周回巻回し溝までピン１５を誘導する収納誘導溝１０ｈと、よりなる。なお、本実施の形態は、周回巻き取り溝１０ａおよび周回引き下ろし溝１０ｃの位置関係を限定するものではなく、内側に形成された円形部を周回巻き取り溝１０ａとし、外側に形成された円形部を周回引き下ろし溝１０ｃとして用いる構成としても良い。
【００２８】
ここで、第１調整溝１０ｄは、回転ドラム５がゼンマイ１１の付勢力により回転している時に、周回引き下ろし溝１０ｃより第１調整溝１０ｄへピン１５を誘導しやすい角度に設けられ、さらに第２調整溝１０ｆへピン１５を誘導しないようにするために、ドラム回転停止位置１０ｅにおいて折り返されている。重量支持点１０ｇにおいて、収納誘導溝は、回転ドラム５がゼンマイ１１の付勢力により回転している時に、周回巻き取り溝１０ａへピン１５を誘導しやすい角度に折り返されている。
【００２９】
ピン誘導溝１０（上記各溝）には、一定方向へのピン１５の誘導を妨げる一方、その逆方向へピン１５を誘導するように、ピン１５の誘導を規制するピン誘導方向規制部１８ａ〜１８ｆが形成されている。このピン誘導方向規制部１８ａ〜１８ｆは、ピン誘導溝１０が分岐する部位や収斂する部位、および折り返された部位に形成されるものであり、その位置を図９（ａ）に、ピン誘導方向規制部１８ａ〜１８ｆの断面形状の各一例を、図９（ｂ）〜図９（ｆ）に、それぞれ示す。なお、図９（ａ）においては、溝底面が所定の深さに水平に形成されている部位にハッチングを付してある。
【００３０】
周回巻き取り溝１０ａから初期導入曲線溝１０ｂへ分岐する部位（Ｆ−Ｆ’）に形成したピン誘導方向規制部１８ａは、ワイヤ４収納動作時のピン１５の進行方向に向かって周回巻き取り溝１０ａの底面を上げて、周回巻き取り溝１０ａと初期導入曲線溝１０ｂとが接する位置まで坂を設け、上記初期導入曲線溝１０ｂの側壁の、上記周回巻き取り溝１０ａ内にある低側壁部１９ａを形成したものである。
【００３１】
しかしてピン誘導方向規制部１８ａは、回転ドラム５がゼンマイ１１の付勢力により回転し、ワイヤ４が収納されている時には、ピン１５を、周回巻き取り溝１０ａを進むようにし、ワイヤ４が引き下ろされ、回転ドラム５がゼンマイ１１の付勢方向とは逆の方向に回転している時には、ピン１５が周回巻き取り溝１０ａを進むのを妨げ、周回巻き取り溝１０ａより初期導入曲線溝１０ｂにピン１５を誘導する。
【００３２】
初期導入曲線溝１０ｂが周回引き下ろし溝１０ｃに収斂する部位（Ｇ−Ｇ’）に形成したピン誘導方向規制部１８ｂは、周回引き下ろし溝１０ｃに向かって初期導入曲線溝１０ｂの底面を上げて、周回引き下ろし溝１０ｃと接する位置まで坂を設け、初期導入曲線溝１０ｂの終端部と接する周回引き下ろし溝１０ｃの溝側壁に、低側壁部１９ｂを形成したものである。また、周回引き下ろし溝１０ｃより第１調整溝１０ｄへ分岐する部位（Ｈ−Ｈ’）に形成したピン誘導方向規制部１８ｃは、ワイヤ４引き下ろし動作時のピン１５の進行方向に向かって周回引き下ろし溝１０ｃの底面を上げて、周回引き下ろし溝１０ｃと第１調整溝１０ｄとが接する位置まで坂を設け、第１調整溝１０ｄの側壁の、周回引き下ろし溝１０ｃにある低側壁部１９ｃを形成したものである。
【００３３】
しかしてピン誘導方向規制部１８ｂ、１８ｃは、ワイヤ４が引き下ろされると、ピン１５を、周回巻き取り溝１０ａより初期導入曲線溝１０ｂを経て周回引き下ろし溝１０ｃへ誘導し、ワイヤ４が引き下ろされている間、周回引き下ろし溝１０ｃを周回し続けるよう、ピン１５を誘導する。さらにピン誘導方向規制部１８ｃは、回転ドラム５がゼンマイ１１の付勢力により回転し、ワイヤ４が収納されている時には、ピン１５が周回引き下ろし溝１０ｃを進むのを妨げ、周回引き下ろし溝１０ｃより第１調整溝１０ｄへとピン１５を誘導する。
【００３４】
なお、ワイヤ４がすべてドラムに巻き取られ、吊り下げ物品保持輪６が上端位置に位置する時の、ピン１５の位置は、周回巻き取り溝１０ａ、初期導入曲線溝１０ｂ、周回引き下ろし溝１０ｃのいずれかであることが望ましい。これにより、第１調整溝１０ｄから収納誘導溝１０ｈの間にピン１５が位置している場合よりスムーズにワイヤ４を引き下ろし始めることができる。
【００３５】
また、図９（ｂ），（ｃ）においては、ピン誘導方向規制部１８ａ、１８ｂの坂の長さと、ピン誘導方向規制部１８ｃの坂の長さとが異なるように示しているが、坂の長さは、ピン誘導方向規制部１８ａ〜１８ｃを配置するスペースの余裕に基づいて設計されたものであり、本発明を限定するものではない。
【００３６】
これらピン誘導方向規制部１８ａ〜１８ｃは、低側壁部１９ａ〜１９ｃに続く各坂の前後の溝底面における水平部の高さが等しくされているのに対し、後述するピン誘導方向規制部１８ｄ〜１８ｆは、低壁部１９ｄの前後、低壁部１９ｅおよび低側壁部１９ｆに続く各坂の前後で、溝底面の水平部の高さが異なるようにされている。
【００３７】
すなわち、第１調整溝１０ｄの、ドラム回転停止位置１０ｅの手前の位置（Ｉ−Ｉ’）に形成したピン誘導方向規制部１８ｄは、ドラム回転停止位置１０ｅの溝底面を周回引き下ろし溝１０ｃ側の溝底面より一段低くし、ドラム回転停止位置１０ｅに位置するピン１５の、周回引き下ろし溝１０ｃ側への移動を妨げる低壁部１９ｄを形成したものである。第２調整溝１０ｆの、重量支持点１０ｇの手前の位置（Ｊ−Ｊ’）に形成したピン誘導方向規制部１８ｅは、ドラム回転停止位置１０ｅより重量支持点１０ｇに向かって、第２調整溝１０ｆの溝底面を上げて坂を設け、重量支持点１０ｇに位置するピン１５の、ドラム回転停止位置１０ｅ側への移動、すなわちゼンマイ１１の付勢方向へのピン１５の移動、を妨げる低壁部１９ｅを設けたものである。収納誘導溝１０ｈが周回巻き取り溝１０ａに収斂する部位（Ｋ−Ｋ’）に形成したピン誘導方向規制部１８ｆは、重量支持点１０ｇより周回巻き取り溝１０ａとが接する位置まで、収納誘導溝１０ｈの溝底面を上げて坂を設け、収納誘導溝１０ｈの終端部と接する周回巻き取り溝１０ａの溝側壁に、低側壁部１９ｆを形成したものである。
【００３８】
ここで、ピン誘導方向規制部１８ｄの低壁部１９ｄの前後の溝底面の高さの差は、ピン誘導方向規制部１８ｅの坂（低壁部１９ｅ）の前後の溝底面の高さの差と、ピン誘導方向規制部１８ｆの坂（低側壁部１９ｆ）の前後の溝底面の高さの差との和に等しくなるようにされている。なお、これは、ピン誘導方向規制部１８ｄ〜１８ｆを配置するスペースの余裕に基づいて設計されたものであり、本発明を限定するものではない。ピン誘導方向規制部１８ｄ〜１８ｆは、ピン誘導方向規制部１８ａと同様の断面形状であってもよい。
【００３９】
このように構成される吊り下げ物品昇降器は、天井に取り付けた際に見栄えを良くするために、カバーで覆うようにされていても良い。図１０（ａ）は、カバー３１が取り付けられた吊り下げ物品昇降器の一例を示す側面図、図１０（ｂ）は、その正面図、図１０（ｃ）は、その使用方法を示す図である。
【００４０】
図１０（ａ）〜図１０（ｃ）において、３１は、穴２１を用いて天井にネジ留めされたユニットふた１、およびユニットふた１と接合されたユニットケース２を覆って配設され、その下面に、吊り下げ物品保持輪６を下げるための穴が貫通されているカバー、３２は、吊り下げ物品保持輪６を引き下ろすときに用いられる引き出し棒、３３は、洗濯物干し器である。
【００４１】
なお、図１０（ａ）〜図１０（ｃ）には、マウスに似た外形形状のカバー３１を示したが、本発明は、カバーの外形形状を限定するものではなく、カバー３１はいかなる形状であっても良い。
【００４２】
次に、以上のように構成される吊り下げ物品昇降器の使用方法および動作について、室内に洗濯物を干す場合を例にとって説明する。
【００４３】
天井に取り付けられた吊り下げ物品昇降器に洗濯物干し器３３を吊り下げる時には、まず、吊り下げ物品保持輪６を所望の高さとするように、ワイヤ４を引き下ろす。この時、吊り下げ物品保持輪６の位置が高すぎて、手が届かない場合には、引き出し棒３２の先端のカギ状部分を吊り下げ物品保持輪６に引っかけ、引き出し棒３２を引き下ろす。
【００４４】
ワイヤ４が引き下ろされている間、回転ドラム５はこれに伴って回転し、枢軸回動するレバー１６の先端に設けられたピン１５は、周回巻き取り溝１０ａを進み、ピン誘導方向規制部１８ａの低側壁部１９ａによって、初期導入曲線溝１０ｂへと誘導され、さらにピン誘導方向規制部１８ｂによって、初期導入曲線溝１０ｂより周回引き下ろし溝１０ｃ内に誘導され、ピン誘導方向規制部１８ｃの坂（低側壁部１９ｃ）を超えながら該周回引き下ろし溝１０ｃ内を周回し続ける。
【００４５】
吊り下げ物品保持輪６を所望の高さまで下ろすと、ワイヤ４あるいは吊り下げ物品保持輪６を引っかけた引き出し棒３２を引くのをやめる。
【００４６】
すると、回転ドラム５は、ゼンマイ１１の付勢力により、ワイヤ４が引き下ろされていた時とは逆の方向に回転し、ピン１５は、ワイヤ４が引き下ろされていた時とは逆の方向に、周回引き下ろし溝１０ｃを進み、ピン誘導方向規制部１８ｃの低側壁部１９ｃによって、第１調整溝１０ｄへと誘導され、さらにピン誘導方向規制部１８ｄによって、溝底面が一段低くされているドラム回転停止位置１０ｅへと誘導され、該ドラム回転停止位置１０ｅにて停止する。すなわち、この時、ワイヤ４は引かれていないため、回転ドラム５はゼンマイ１１の付勢力により回転可能な状態であり、ピン１５は、第１調整溝１０ｄに沿って進行するが、該第１調整溝１０ｄの先端の凹壁面と当接して（ドラム回転停止位置１０ｅ）その進行が停止され、回転ドラム５の回転は停止する。これにより、回転ドラム５が固定されるので、引き下ろしたワイヤ４を手から放した状態で、ピン１５がドラム回転停止位置１０ｅに達したのに対応するワイヤ４の位置にて、ワイヤ４が固定される。
【００４７】
ワイヤ４が固定された後、吊り下げ物品保持輪６に洗濯物干し器３３を吊り下げるか、あるいはワイヤ４をさらに引き下げると、回転ドラム５は、再びワイヤ４が引き下ろされるのに伴って回転し、ピン１５は、第２調整溝１０ｆを重量支持点１０ｇに向かって誘導され、ピン誘導方向規制部１８ｅの溝底面の坂（低壁部１９ｅ）を超えて、重量支持点１０ｇにて停止する。すなわち、この時、ワイヤ４は引かれているため、その力により回転ドラム５は回転可能な状態であり、ピン１５は、第２調整溝１０ｆに沿って進行するが、該第２調整溝１０ｆの先端の凹壁面と当接して（重量支持点１０ｇ）その進行が停止され、回転ドラム５の回転は停止する。これにより回転ドラム５が固定されるので、吊り下げ物品保持輪６に洗濯物干し器３３を吊り下げた状態で、ピン１５が重量支持点１０ｇに達したのに対応するワイヤ４の位置にて、ワイヤ４が固定される。
【００４８】
そして、吊り下げ物品保持輪６に吊り下げていた洗濯物干し器３３を取り除いたり、吊り下げ物品保持輪６を引くのを止めて手を放すと、回転ドラム５はゼンマイ１１の付勢力により回転し、ワイヤ４を巻き取って収納する。すなわち、ピン１５は、回転ドラム５の回転に伴い収納誘導溝１０ｈを進み、ピン誘導方向規制部１８ｆの低側壁部１９ｆによって周回巻き取り溝１０ａに誘導され、ピン誘導方向規制部１８ａの坂（低側壁部１９ａ）を超えながら、ワイヤ４の巻き取りが終了するまでの間、周回巻き取り溝１０ａを進み続ける。
【００４９】
このように、本実施の形態１の吊り下げ物品昇降器においては、ユニットふた１とユニットケース２間に回転ドラム５を回転自在に設け、ワイヤ４をその一端を回転ドラム５に固定してこれに巻回し、ワイヤ４を巻き取り収納する方向への付勢力を回転ドラム５に与えるゼンマイ１１を設け、ユニットふた１の先端に、ピン１５を保持するレバー１６を、枢軸回動可能に軸着し、回転ドラム５のユニットふた１側の面に、ワイヤ４の引き出しによる回転ドラム５の回転角度位置を決めるピン誘導溝１０として、ワイヤ４を引き下ろすための周回引き下ろし溝１０ｃと、ワイヤ４を巻き上げ収納するための周回巻き取り溝１０ａとを設けた構成とし、さらにこれらに加えて、ワイヤ４を上端位置から引き下ろしたときピン１５を周回巻き取り溝１０ａから周回引き下ろし溝１０ｃに誘導する初期導入曲線溝１０ｂと、ワイヤ４の引き下ろしを止めたときゼンマイ１１の付勢力により周回引き下ろし溝１０ｃよりドラム回転停止位置１０ｅまで誘導する第１調整溝１０ｄと、ドラム回転停止位置１０ｅからワイヤ４をさらに引き下ろしたとき重量支持点１０ｇまで誘導する第２調整溝１０ｆと、重量支持点１０ｇから周回巻き取り溝１０ａまで誘導する収納誘導溝１０ｈとを有するものとしたものである。
【００５０】
したがって、引き下ろしたワイヤ４を、該ワイヤ４を手から放した状態で、上記ピン１５がドラム回転停止位置１０ｅに達したのに対応する該ワイヤ４の位置にて、固定保持させることができる。さらに、この状態で、ワイヤ４下端の吊り下げ物品保持輪６に物品を吊り下げて荷重をかけることにより、上記ピン１５が上記重量支持点１０ｇに達したのに対応する該ワイヤ４の位置にて、該ワイヤ４を固定保持することができる。ここで、該ワイヤ４の固定保持する高さ位置は、ワイヤを引き下ろしている間は、ピンが周回引き下ろし溝１０ｃ内を周回しているので、この一周回の距離分ごとの高さ位置にて、この固定保持ができるものである。
【００５１】
したがって、たとえば、吊り下げる物品を、図１０（ｃ）に示すように洗濯物干し器３３とすることにより、室内にて、所望の高さ位置にて、洗濯物干しを行うことができることとなる。
【００５２】
次に、この所望の高さ位置にて、洗濯物干しを行ったのち、洗濯物干しが終わって洗濯物干し器３３を取り除くと、ピン１５が上記重量支持点１０ｇから収納誘導溝１０ｈを経て、周回巻き取り溝１０ａにいたることにより、ワイヤ４は回転ドラム５に巻き取られ、ドラム５内にワイヤ４の全体が収納されるものである。
【００５３】
なお、本吊り下げ物品昇降器の天井に対する取り付けは、ユニットふた１に設けた穴２１を用いて天井にネジ留めするのみで、容易に行うことができ、天井の改造が不要であり、かつ操作を簡易に行うことができるものである。
【００５４】
以上の動作をするにおいて、上記ピン誘導溝１０においては、周回巻き取り溝１０ａから初期導入曲線溝１０ｂへ分岐する部位、初期導入曲線溝１０ｂが周回引き下ろし溝１０ｃに収斂する部位、周回引き下ろし溝１０ｃより第１調整溝１０ｄへ分岐する部位、ドラム回転停止位置１０ｅの手前の位置、第２調整溝１０ｆの重量支持点１０ｇの手前の位置、および、収納誘導溝１０ｈが周回巻き取り溝１０ａに収斂する部位、のそれぞれには、一方向へのピン１５の進行は可能とするが、その逆方向等の他の方向へのピン１５の進行を妨げる、ピン誘導方向規制部１８ａ〜１８ｆを形成している。したがって、これにより、本吊り下げ物品昇降器の動作は、ピン１５の、(A) 周回巻き取り溝１０ａ内の移動、(B) 該周回巻き取り溝１０ａ内から初期導入曲線溝１０ｂ内への移動、(C) 該初期導入曲線溝１０ｂ内から周回引き下ろし溝１０ｃへの移動、(D) 周回引き下ろし溝１０ｃよりドラム回転停止位置１０ｅまでの第１調整溝１０ｄ内への移動、(E) ドラム回転停止位置１０ｅから重量支持点１０ｇまでの第２調整溝１０ｆ内への移動、(F) 重量支持点１０ｇから周回巻き取り溝１０ａまでの収納誘導溝１０ｈ内の移動、(G) 周回巻き取り溝１０ａ内の移動、をこの順に繰り返すものとなり、この動作が逆流を起こすようなことがないため、メカが故障を起こすということもない。すなわち、物品を吊り下げる操作をワイヤ４のどの高さ位置で行ったとしても、その高さ位置に対応して、上記(C) と(D) 間の、周回引き下ろし溝１０ｃ内をピン１５が周回する回数、が異なるだけで、その他は全く同じ動作を行うものであり、上記ピン誘導方向規制部１８ａ〜１８ｆの機能により、上記(A)〜(G) の動作を逆流なく行え、安定な動作を行うことができる。
【００５５】
さらに、
1) ワイヤの引き下ろし（１０ａ内から１０ｂを経て１０ｃへ）の動作、
2) 該引き下ろしを止めた後の、手を離すことによる、若干のワイヤの戻し上げ後の停止（１０ｃ内から１０ｄを経て１０ｅへ）の動作、
3) その後の荷重をかけたときの停止（１０ｅから１０ｆを経て１０ｇへ）の動作、
4) 該荷重印加状態から、荷重を解除した後のワイヤの収納（１０ｇから１０ｈを経て１０ａへ）、の動作、
を、安定に、連続して行わせることができる。これにより、洗濯物干し等を、所望の高さにて行うことができ、しかもその高さ位置は、ワイヤ４を引き下げるとき引き下げる量を調整して、適宜、調整することができる。
【００５６】
（実施の形態２）
以下、本発明の実施の形態２による吊り下げ物品昇降器について、図面を参照しながら説明する。
【００５７】
本実施の形態２による吊り下げ物品昇降器は、より細かい間隔で吊り下げ物品保持輪６の高さを調節可能とするように、第１調整溝と、第２調整溝と、収納誘導溝とよりなる連続溝誘導溝を、図１１に示したように、２つ、設けたものである。
【００５８】
すなわち、本実施の形態２のピン誘導溝１０においては、図１１に示したように、回転ドラム５には、ワイヤ４を上端位置から引き下ろしたとき、ピン１５を、周回巻き取り溝１０ｉから周回引き下ろし溝１０ｌに誘導する初期導入曲線溝１０ｊおよび初期導入曲線溝１０ｋが設けられている。またさらに、ワイヤ４の引き下ろしを止めたとき、ゼンマイ１１の付勢力により、周回引き下ろし溝１０ｌより、ドラム回転停止位置１０ｎまでピン１５を誘導する第１調整溝１０ｍと、ドラム回転停止位置１０ｎからワイヤ４をさらに引き下ろしたとき、重量支持点１０ｐまでピン１５を誘導する第２調整溝１０ｏと、重量支持点１０ｐから周回巻き取り溝１０ｉまでピン１５を誘導する収納誘導溝１０ｑと、ワイヤ４の引き下ろしを止めたとき、周回引き下ろし溝１０ｌより、ドラム回転停止位置１０ｓまでピン１５を誘導する第１調整溝１０ｒと、ドラム回転停止位置１０ｓからワイヤ４をさらに引き下ろしたとき、重量支持点１０ｕまでピン１５を誘導する第２調整溝１０ｔと、重量支持点１０ｕから周回巻き取り溝１０ｉまでピン１５を誘導する収納誘導溝１０ｖと、が形成されている。
【００５９】
このように、本実施の形態２の吊り下げ物品昇降器は、初期導入曲線溝１０ｌおよび初期導入曲線溝１０ｋと、第１調整溝１０ｍ、第２調整溝１０ｏ、収納誘導溝１０ｑよりなる第１の連続誘導溝機構Ｘと、第１調整溝１０ｒ、第２調整溝１０ｔ、収納誘導溝１０ｖよりなる第２の連続誘導溝機構Ｙとを有するものである。
【００６０】
また、ピン誘導溝１０（上記各溝）には、一定方向へのピン１５の進行を妨げる一方、その逆方向へのピン１５の進行を可能とするように、ピン１５の進行を規制することにより、回転ドラム５の回動を規制するピン誘導方向規制部１８ｇ〜１８ｒが形成されている。このピン誘導方向規制部１８ｇ〜１８ｒは、ピン誘導溝１０が分岐する部位や収斂する部位、および折り返された部位に形成されるものであり、その位置を図１２（ａ）に、断面形状の各一例を、図１２（ｂ）、図１２（ｃ）に、それぞれ示す。なお、図１２（ａ）においては、溝底面が所定の深さに水平に形成されている部分にハッチングを付してある。
【００６１】
ピン誘導方向規制部１８ｇ〜１８ｒは、実施の形態１によるものと同様に、溝底面を上げて坂を設け、所望の位置に低側壁部１９ｇ〜１９ｌ，１９ｑ，１９ｒおよび低壁部１９ｍ〜１９ｐを設けるよう形成してもよい。これにより、ピン１５を、坂の最も高い部位より低側壁部や低壁部を経て水平な部位へと移動できるが、逆方向に低側壁部や低壁部を超える、すなわち、水平な部位より低側壁部や低壁部を経て、坂の最も高い部位へと移動できないようにすることができる。
【００６２】
ここで、本実施の形態２においては、収納誘導溝１０ｑおよび収納誘導溝１０ｖを、実施の形態１による収納誘導溝１０ｈより長くしている。これにより、ピン１５の動作を安定させることができる。
【００６３】
例えば、洗濯物のシワを伸ばすために、吊り下げ物品保持輪６に吊り下げた洗濯物干し器に下げた洗濯物を引っ張ったり叩いたりした時のように、吊り下げ物品保持輪６に強い力が加わった場合、ピン１５が収納誘導溝１０ｑや収納誘導溝１０ｖより外れる可能性がある。ピン１５が外れてしまうと、吊り下げ物品保持輪６に吊り下げられている洗濯物干し器や洗濯物が重い場合、その重さにより吊り下げ物品保持輪６とともに洗濯物干し器が引き下げられてしまい、吊り下げ物品保持輪６に吊り下げられている洗濯物干し器や洗濯物が軽い場合、回転ドラム５がゼンマイ１１により回転させられるため、ワイヤが４収納され、吊り下げ物品保持輪６とともに洗濯物干し器が上昇してしまう。収納誘導溝１０ｑおよび収納誘導溝１０ｖを、ピン１５の動作を安定させることができる形状とすることにより、洗濯物を干す時に、安心して、洗濯物のシワを伸ばす等の手入れを行うことができるようになる。
【００６４】
また、ピン１５が急傾斜の坂を上ると、ピン１５を保持するレバー１６がユニットふたに当たり、ユニットふた１に損傷を与えてしまう可能性がある。本実施の形態２によるピン誘導方向規制部１８ｇ〜１８ｌは、レバー１６によるユニットふた１に対する衝撃を抑制するために、ピン誘導方向規制部１８ｇ〜１８ｌの坂を、実施の形態１によるピン誘導方向規制部１８ａ〜１８ｃに形成した坂より緩傾斜なものとしている。
【００６５】
なお、図１２（ｂ），（ｃ）においては、ピン誘導方向規制部１８ｇ〜１８ｌの坂の長さと、ピン誘導方向規制部１８ｍ〜１８ｒの坂の長さとが異なるように示しているが、これは、ピン誘導方向規制部１８ｇ〜１８ｒを配置するスペースの余裕に基づいて設計されたものであり、本発明を限定するものではない。上述したように、坂は、レバー１６によるユニットふた１に対する衝撃を抑制するために、傾斜を緩くするよう形成するのが望ましい。
【００６６】
次に、以上のように構成された吊り下げ物品昇降器の動作について説明する。
吊り下げ物品保持輪６が引き下ろされ、ワイヤ４が引き下ろされている時、回転ドラム５はワイヤ４が引き下ろされるのに伴って回転し、ピン１５は、周回巻き取り溝１０ｉを進み、ピン誘導方向規制部１８ｇあるいは１８ｈ、初期導入曲線溝１０ｊあるいは１０ｋへと誘導され、さらに該初期導入曲線溝より周回引き下ろし溝１０ｌへと誘導され、周回引き下ろし溝１０ｌを周回し続ける。
【００６７】
吊り下げ物品保持輪６を所望の高さまで下ろし、ワイヤ４を引くのを止めると、回転ドラム５は、ワイヤ４が引き下ろされていた時とは逆の方向に回転させられ、ピン１５も、ワイヤ４が引き下ろされていた時とは逆の方向に、周回引き下ろし溝１０ｌを進み、ピン誘導方向規制部１８ｋ、ピン誘導方向規制部１８ｌのいずれかによって、第１連続誘導溝機構Ｘあるいは第２連続誘導溝機構Ｙへと誘導され、実施の形態１によるものと同様の動作を行う。
【００６８】
すなわち、第１連続誘導溝機構Ｘへと誘導されたピン１５は、ピン誘導方向規制部１８ｍによって、第１調整溝１０ｍをドラム回転停止位置１０ｎへと誘導され、第２連続誘導溝機構Ｙへと誘導されたピン１５は、ピン誘導方向規制部１８ｎによって、第１調整溝１０ｒをドラム回転停止位置１０ｓへと誘導され、該位置にて停止する。これにより回転ドラム５が固定されるので、引き下ろしたワイヤ４を手から放した状態で、ワイヤ４が固定される。
【００６９】
ここで、吊り下げ物品保持輪６を所望の高さまで下ろした後、ワイヤ４を引くのを止めると、回転ドラム５はゼンマイ１１の付勢方向に回転しながらワイヤ４の一部を収納するため、ワイヤ４（吊り下げ物品保持輪６）は上記所望の高さより上昇することとなる。上昇距離が最長となるのは、ワイヤ４を引くのをやめた時に、ピン１５が、ピン誘導方向規制部１８ｋの低側壁部１９ｋ直前、およびピン誘導方向規制部１８ｌの低側壁部１９ｌ直前に位置している時である。すなわち、ピン１５がピン誘導方向規制部１８ｋの低側壁部１９ｋ直前に位置する場合、回転ドラム５の回転に伴いピン１５はピン誘導方向規制部１８ｌまで戻った後、第１調整溝１０ｒをドラム回転停止位置１０ｓまで進むこととなり、同様に、ピン１５がピン誘導方向規制部１８ｌの低側壁部１９ｌ直前に位置する場合、回転ドラム５の回転に伴いピン１５はピン誘導方向規制部１８ｋまで戻った後、第１調整溝１０ｍをドラム回転停止位置１０ｎへと進むこととなる。このため、ワイヤ４の上昇する最長距離は、周回引き下ろし溝１０ｌの円周の１／２の距離と、第１調整溝１０ｍ，第１調整溝１０ｒの距離との和となり、また、ワイヤ４固定位置の高さは、周回引き下ろし溝１０ｌの円周の１／２の距離単位で調節可能となる。
【００７０】
すなわち、上記実施の形態１による吊り下げ物品昇降器においては、ワイヤ４を引くのをやめた時にワイヤ４が上昇する最大上昇距離は、周回引き下ろし溝１０ｃの円周分の距離と、第１調整溝１０ｄの距離との和であり、また、ワイヤ４に荷重をかけても該ワイヤ４を固定保持できる固定保持位置間の間隔は、周回引き下ろし溝１０ｃの円周分の距離であった。これに対し、本実施の形態２においては、上記第１の連続誘導溝機構Ｘと、第２の連続誘導溝機構Ｙとを設けたことにより、ワイヤ４を引くのをやめた時のワイヤの最大上昇距離は、上記実施の形態１における、周回引き下ろし溝１０ｃの円周分の１／２の距離と、第１調整溝１０ｄの距離との和となり、また、ワイヤ４の荷重印加可能な固定保持位置間の間隔は、上記実施の形態１における、周回引き下ろし溝１０ｃの円周分の距離、の１／２の距離、となっている。
【００７１】
ワイヤ４が固定された後、吊り下げ物品保持輪６に洗濯物干し器３３を吊り下げるか、あるいはワイヤ４をさらに引き下げると、回転ドラム５は、再びワイヤ４が引き下ろされるのに伴って回転し、ピン１５は、第２調整溝１０ｏを進み、重量支持点１０ｐにて停止する。あるいは第２調整溝１０ｔを進み、重量支持点１０ｕにて停止する。これにより、洗濯物干し器３３が吊り下げられた吊り下げ物品保持輪６が固定される。
【００７２】
そして、吊り下げ物品保持輪６に吊り下げていた洗濯物干し器３３を取り除いたり、ワイヤ４を引くのを止めると、回転ドラム５はゼンマイ１１の付勢力により回転し、ワイヤ４を巻き取って収納する。
【００７３】
このように、本実施の形態２の吊り下げ物品昇降器においては、周回引き下ろし溝１０ｌ、および、周回巻き取り溝１０ｉに対して、初期導入曲線溝１０ｊおよび１０ｋ、および、第１調整溝（１０ｍ、１０ｒ）、第２調整溝（１０ｏ、１０ｔ）、および収納誘導溝（１０ｑ、１０ｖ）よりなる連続誘導溝機構Ｘ、Ｙを、設けているので、ワイヤ４を引くのをやめた時のワイヤの最大上昇距離、および、ワイヤ４の荷重印加可能な固定保持位置間の間隔が、上記実施の形態１におけるそれらのほぼ半分となっており、洗濯物干し器を吊り下げる位置を、短い間隔ごとに調整することができ、操作性を大きく向上できるものである。
【００７４】
また、本実施の形態２においては、収納誘導溝１０ｑおよび収納誘導溝１０ｖを、実施の形態１による収納誘導溝１０ｈより長くしている。したがって、ピン１５の動作を実施の形態１より安定させることができ、吊り下げ物品保持輪６に強い力が加わった場合でも、ピン１５が収納誘導溝１０ｑおよび収納誘導溝１０ｖより外れにくくすることができる。
【００７５】
また、ピン誘導方向規制部１８ｇ〜１８ｌの坂を、実施の形態１によるピン誘導方向規制部１８ａ〜１８ｃに形成した坂より緩傾斜なものとしている。したがって、ピン１５を保持するレバー１６による、ユニットふた１に対する衝撃を抑制することができるものである。
【００７６】
なお、実施の形態１および実施の形態２においては、吊り下げ物品保持輪６に洗濯物干し器３３を吊り下げた場合を例にとって説明したが、本発明は、吊り下げ物品保持輪６に吊り下げる物品を限定するものではなく、吊り下げ物品保持輪６にはいかなる物を吊り下げても良い。例えば、吊り下げ物品保持輪６に、物品を収容するための物入れを吊り下げても良く、この場合は、物入れの高さを調節することにより、物品を置きやすくする効果が得られる。
【産業上の利用可能性】
【００７７】
本発明の吊り下げ物品昇降器は、引き下ろしたワイヤの先端に物品を吊り下げることができるため、室内に洗濯物を干す時や、物品を収容するための物入れ等を吊り下げる時に用いることができる。
【図面の簡単な説明】
【００７８】
【図１】本発明の実施の形態１による吊り下げ物品昇降器の構成を示す正面図である。
【図２】本発明の実施の形態１による吊り下げ物品昇降器の構成を示す背面図である。
【図３】本発明の実施の形態１による吊り下げ物品昇降器の構成を示す断面図である。
【図４】吊り下げ物品昇降器のワイヤを吊り下げる機構を説明するための要部斜視図である。
【図５】レバーと溝との係合を説明するための要部断面図である。
【図６】ドラムに形成された溝を説明するための正面図である。
【図７】ドラムに設けられたゼンマイを説明するための背面図である。
【図８】ドラムの構成を示す断面図である。
【図９（ａ）】ドラムの溝に形成されたピン誘導方向規制部を説明するための正面図である。
【図９（ｂ）】ピン誘導方向規制部の断面形状を示す断面図である。
【図９（ｃ）】ピン誘導方向規制部の断面形状を示す断面図である。
【図９（ｄ）】ピン誘導方向規制部の断面形状を示す断面図である。
【図９（ｅ）】ピン誘導方向規制部の断面形状を示す断面図である。
【図９（ｆ）】ピン誘導方向規制部の断面形状を示す断面図である。
【図１０（ａ）】本発明の実施の形態による吊り下げ物品昇降器をカバーで覆った例を示す側面図である。
【図１０（ｂ）】本発明の実施の形態による吊り下げ物品昇降器をカバーで覆った例を示す正面図である。
【図１０（ｃ）】本発明の実施の形態による吊り下げ物品昇降器の使用方法を示す図である。
【図１１】本発明の実施の形態２による吊り下げ物品昇降器のドラムに形成された溝を説明するための正面図である。
【図１２（ａ）】ドラムの溝に形成されたピン誘導方向規制部を説明するための正面図である。
【図１２（ｂ）】ピン誘導方向規制部の断面図である。
【図１２（ｃ）】ピン誘導方向規制部の断面図である。
【図１３（ａ）】従来の物干し装置の構成を示す斜視図である。
【図１３（ｂ）】従来の物干し装置の構成を示す断面図である。
【符号の説明】
【００７９】
１  ユニットふた
２  ユニットケース
３  主軸
４  ワイヤ
５  回転ドラム
６  吊り下げ物品保持輪
１０  ピン誘導溝
１０ａ、１０ｉ  周回巻き取り溝
１０ｂ、１０ｊ、１０ｋ  初期導入曲線溝
１０ｃ、１０ｌ  周回引き下ろし溝
１０ｄ、１０ｍ、１０ｒ  第１調整溝
１０ｅ、１０ｎ、１０ｓ  ドラム回転停止位置
１０ｆ、１０ｏ、１０ｔ  第２調整溝
１０ｇ、１０ｐ、１０ｕ  重量支持点
１０ｈ、１０ｑ、１０ｖ  収納誘導溝  
１１  ゼンマイ
１５  ピン
１８ａ〜１８ｒ  ピン誘導方向規制部
３１  カバー
３２  引き出し棒
３３  洗濯物干し器
【図１】
2005087298.tif 000003
【図２】
2005087298.tif 000004
【図３】
2005087298.tif 000005
【図４】
2005087298.tif 000006
【図５】
2005087298.tif 000007
【図６】
2005087298.tif 000008
【図７】
2005087298.tif 000009
【図８】
2005087298.tif 000010
【図９（ａ）】
2005087298.tif 000011
【図９（ｂ）】
2005087298.tif 000012
【図９（ｃ）】
2005087298.tif 000013
【図９（ｄ）】
2005087298.tif 000014
【図９（ｅ）】
2005087298.tif 000015
【図９（ｆ）】
2005087298.tif 000016
【図１０（ａ）】
2005087298.tif 000017
【図１０（ｂ）】
2005087298.tif 000018
【図１０（ｃ）】
2005087298.tif 000019
【図１１】
2005087298.tif 000020
【図１２（ａ）】
2005087298.tif 000021
【図１２（ｂ）】
2005087298.tif 000022
【図１２（ｃ）】
2005087298.tif 000023
【図１３（ａ）】
2005087298.tif 000024
【図１３（ｂ）】
2005087298.tif 000025